(57)【要約】    【課題】  カバーがブックカバーの第１面（または外面）から判読可能な方向に現れるようにするべく、その第２面上に逆読み（側方反転または鏡像）方向にて印刷を施した、透明または実質的に透明なプラスチックあるいはセロハン材料で構造した、改善されたブックカバーと、このような改善されたブックカバーの製造方法の両方を提供する。    【解決手段】  対向する第１面と第２面を備える透明または半透明なカバーシートで構造した、耐久性に優れ、高品質の装丁本の製造に用いられる、改善されたブックカバーとその製造方法を開示する。カバーシートがその第２面上に逆読み方向にて印刷されているため、ブックカバーの第１（または外）面上にこの印刷を見ることができる。本発明による改善されたブックカバーは、高額な積層または保護コーティングを要する紙製のブックカバーの必要を省き、このような従来のブックカバーに耐久性と強度を追加すると同時に、従来のブックカバー構造に優れた光沢的外観を与える。【選択図】      図２
2004188979.tif 000002
【特許請求の範囲】
【請求項１】
対向する第１面及び第２面と、縁と、表カバー部分、裏カバー部分及び背部分を含む総表面領域とを有し、実質的に透明なシートと、
前記実質的に透明なシートの第２面の少なくとも一部分に形成された少なくとも１層の標示部とを備え、
前記標示部の層の少なくとも一部分が、前記実質的に透明なシートの第２面に逆読み方向に形成されている、
ブックカバー。
【請求項２】
前記標示部の少なくとも一部分が、前記実質的に透明なシートの第２面に正読み方向に形成されている請求項１に記載のブックカバー。
【請求項３】
前記実質的に透明なシートが、セロハン、熱積層フィルム、ナイロン、ビニール、高密度ポロエチレンフィルム、ポリスチレン、ポリプロピレン、ポリエチレン、ポリエステル（ＰＥＴ）、及びこれらの任意の組み合わせから成るグループより選択した材料で作成されている請求項１又は２に記載のブックカバー。
【請求項４】
前記実質的に透明なシートが薄い可視色に色付けされている請求項１から３のいずれかに記載のブックカバー。
【請求項５】
前記実質的に透明なシートの、前記第１面及び前記第２面の少なくとも１つの上に、ホイルスタンプ加工、エンボス加工、ホログラム加工、スポットワニス加工が施されている請求項１から４のいずれかに記載のブックカバー。
【請求項６】
前記実質的に透明なシートが、前記第１面上に印刷した標示部を備えている請求項１から５のいずれかに記載のブックカバー。
【請求項７】
前記標示部が、枚葉紙印刷機を使用して、前記実質的に透明なシートの前記第２面上に印刷されている請求項１から６のいずれかに記載のブックカバー。
【請求項８】
前記枚葉紙印刷機が、単色枚葉紙印刷機、２色枚葉紙印刷機、複数色枚葉紙印刷機から成るグループより選択されている請求項７に記載のブックカバー。
【請求項９】
前記標示部が、紫外線硬化インキを使用して印刷されている請求項１から８のいずれかに記載のブックカバー。
【請求項１０】
前記実質的に透明なシートの前記第２面に付加された複数の標示部層をさらに備え、
前記複数の標示部層が、前記実質的に透明なシートの第２面の総表面領域の少なくとも一部分を被覆する、
請求項１に記載のブックカバー。
【請求項１１】
前記実質的に透明なシートの前記第２面に付加した接着剤層をさらに備え、
表表紙、裏表紙、前記表表紙と裏表紙の間に位置決めされた背表紙をさらに備え、前記表紙が共に或る外郭を構成し、前記表表紙、前記裏表紙、前記背表紙が第１面と第２面を備え、
前記表表紙、前記裏表紙、前記背表紙の前記第１面が前記実質的に透明なシートの第２面に接着されているため、前記実質的に透明なシートの縁が前記表表紙、背表紙、裏表紙の外郭を越えて、前記表表紙、裏表紙、背表紙の第２面上へと突出し、これらと接着されている、
請求項１に記載のブックカバー。
【請求項１２】
前記接着剤が液状ニカワ、感圧ホットメルト接着剤、放射線硬化接着剤、またはこれらの合成物である請求項１１に記載のブックカバー。
【請求項１３】
前記表表紙、背表紙、裏表紙が無漂白クラフト紙、イーフルート波形ボード、ダンボール、Ｂｏｏｋ  Ｃｏｖｅｒ社または認可を受けた業者より登録商標ＭＡＸＩＴＥ名称で販売されている板紙材料、ヘビーゲージプラスチックで構造されている請求項１１に記載のブックカバー。
【請求項１４】
第１見返し、第２見返しをさらに備え、前記第１見返しが前記表表紙の第２面に接着し、前記第２見返しが前記裏表紙の第２面に接着しており、前記見返しが、前記実質的に透明なシートの折り畳んだ縁を被覆する請求項１１に記載のブックカバー。
【請求項１５】
前記ブックカバーを中本に綴じた際に、前記ブックカバーの第２面が中本と対向する請求項１に記載のブックカバー。
【請求項１６】
第１見返し、第２見返しをさらに備え、前記第１見返しが前記実質的に透明なシートの表カバー部分の第２面上に接着し、前記第２見返しが前記実質的に透明なシートの裏カバー部分の第２面上に接着し、前記第１、第２見返しが中本に固定される請求項１５に記載のブックカバー。
【請求項１７】
第１面及び第２面を有する実質的に透明なシートと、
前記実質的に透明なシートの第２面に逆読み方向に付加した標示部と、
を備えたブックカバー。
【請求項１８】
前記実質的に透明なシートが、セロハン、熱積層フィルム、ナイロン、ビニール、高密度ポリエチレンフィルム、ポリスチレン、ポリプロピレン、ポリエチレン、ポリエステル（PET）、及びこれらの任意の組み合わせから成るグループより選択した材料で作成されている請求項１７に記載のブックカバー。
【請求項１９】
前記実質的に透明なシートが薄い可視色に色付けされている請求項１７又は１８に記載のブックカバー。
【請求項２０】
前記実質的に透明なシートの第１面及び第２面の少なくとも１つに、ホイルスタンプ加工、エンボス加工、ホログラム加工、またはスポットワニス加工が施されている請求項１７から１９のいずれかに記載のブックカバー。
【請求項２１】
前記実質的に透明なシートの第１面上に標示部が印刷されている請求項１７から２０のいずれかに記載のブックカバー。
【請求項２２】
前記実質的に透明なシートの第２面に、正読み方向にて付加した標示部をさらに備える請求項１７に記載のブックカバー。
【請求項２３】
前記実質的に透明なシートの第２面に付加した接着剤をさらに備え、
表カバーボード、裏カバーボード、前記表カバーボードと裏カバーボードの間に位置決めした背ボードをさらに備え、前記表カバーボード、裏カバーボード、背ボードの各々が、前記実質的に透明なシートの第２面に前記接着剤によって接着している請求項１７から２２のいずれかに記載のブックカバー。
【請求項２４】
ブックカバーの製造方法であって、
実質的に透明なシートを提供し、前記実質的に透明なシートが、対向する第１面と第２面、４つの縁を備え、
前記実質的に透明なシートの第２面の少なくとも一部分に、標示部を逆読み方向にて付加する、
ブックカバーの製造方法。
【請求項２５】
前記付加工程が、前記実質的に透明なシートの第２面を実質的に１００％被覆しながら、前記実質的に透明なシートに標示部の付加を含む、請求項２４に記載のブックカバーの製造方法。
【請求項２６】
前記付加工程が、前記標示部を前記実質的に透明なシートの第１部分に付加し、前記実質的に透明なシートの第２部分が前記標示部によって妨害されることがない、請求項２４に記載のブックカバーの製造方法。
【請求項２７】
前記実質的に透明なシートが、セロハン、熱積層フィルム、ナイロン、ビニール、高密度ポリエチレンフィルム、ポリスチレン、ポリプロピレン、ポリエチレン、ポリエステル（ＰＥＴ）、またはこれらの任意の組み合わせで構造されている、請求項２４から２６のいずれかに記載のブックカバーの製造方法。
【請求項２８】
前記実質的に透明な材料が薄い可視色に色付けされている請求項２４から２７のいずれかに記載のブックカバーの製造方法。
【請求項２９】
前記付加工程が、枚葉紙印刷機を用いて、前記標示部を、前記シートの第２面上に印刷することを含む請求項２４から２８のいずれかに記載のブックカバーの製造方法。
【請求項３０】
前記枚葉紙印刷機が、単色枚葉紙印刷機、２色枚葉紙印刷機、複数色枚葉紙印刷機のうちの１つである請求項２９に記載のブックカバーの製造方法。
【請求項３１】
前記付加工程が、巻取り印刷を用いて、前記シートを、第２面上への前記標示部へ印刷することを含む請求項２４から３０のいずれかに記載のブックカバーの製造方法。
【請求項３２】
前記実質的に透明なシートの第２面の少なくとも一部分に、標示部を正読み方向にて付加することをさらに含む請求項２４から３１のいずれかに記載のブックカバーの製造方法。
【請求項３３】
前記第１面及び前記第２面の少なくとも１つに仕上げ効果を付加することをさらに含み、前記さらなる仕上げ効果がホイルスタンプ加工、エンボス加工、ホログラム加工またはスポットワニス加工をさらに含む請求項２４から３２のいずれかに記載のブックカバーの製造方法。
【請求項３４】
標示部を、前記実質的に透明なシートの第１面に付加することをさらに含む請求項２４から３３のいずれかに記載のブックカバーの製造方法。
【請求項３５】
前記実質的に透明なシートの第２面に接着剤を付加し、
表表紙、裏表紙、前記表表紙と裏表紙の間に位置決めされた背表紙を設け、前記表表紙、裏表紙、背表紙の各々が第１面と第２面を備え、
前記表表紙、裏表紙、背表紙の各々の第１面を前記実質的に透明なシートの第２面に接着し、
前記実質的に透明なシートの縁を、前記表表紙、裏表紙、背表紙の各々の第２面上にかけて折り畳み、これを接着する、
請求項２４から３４のいずれかに記載のブックカバーの製造方法。
【請求項３６】
前記接着剤が液状ニカワ、感圧ホットメルト接着剤、放射線硬化接着剤、またはこれらの合成物である請求項３５に記載のブックカバーの製造方法。
【請求項３７】
第１終端頁と最終端頁を備える本の頁を内容した中本を設け、
前記中本を前記実質的に透明なシートの第２面に接着し、
第１見返し、第２見返しを設け、
前記第１見返しを、前記実質的に透明なシートの第２面上の表カバー部分と、前記中本の第１終端頁との両方に接着し、
前記第２見返しを、前記実質的に透明なシートの第２面上の裏カバー部分と、前記中本の最終端頁との両方に接着している、
請求項２４に記載のブックカバーの製造方法。
【発明の詳細な説明】
【技術分野】
【０００１】
本発明は、ブックカバー、より詳細にはブックカバーの改善された構造、及び改善されたブックカバーの製造方法に関する。
【背景技術】
【０００２】
ハード装丁本は、多年数の使用に耐え得る強度及び耐久性を備えたブックカバーを必要とする。特に、教科書は、可能な限り安価な方法でその使用年数を最長化しながら、連邦政府、州、業界が課する基準を満たさなければならない。さらに、ハード装丁本カバーは人目を引くものでなければならず、本の耐久年数にかけてその外観を維持する必要がある。品質と耐久性の両方を高いものにするだけでなく、ハード装丁本のコスト上の効率的な製造も重要である。
【０００３】
従来、ハード装丁本は、布または革のような高額な材料を使用して被覆されていた。より最近では、プラスチック含浸紙またはこれ以外の印刷可能な紙材料を使用して、ブックカバーを製造していた。
【０００４】
紙で被覆したハード装丁本は、まず、不透明な１枚のプラスチック含浸紙、または類似の印刷可能な紙製品で製造する。この紙製のカバーシートは２面、つまり、印刷された紙の表面である上面または第１面と、印刷されていない、同紙の下面である底面または第２面とを備えている。組み立てたブックカバーにおいて、カバーシートの第１面は、使用者が見ることができるブックカバーの外面または外側となり、カバーシートの第２面は、ブックカバーを作るために製本台紙に糊付けまたは直接接着される面となる。
【０００５】
製造工程の第１段階において、カバー絵、デザイン、及び/または教科書のタイトルが紙の第１面上に通常の読む方向（以下、正読み又は右読み方向と記す）にて印刷される。すなわち、タイトル文字及び/または画像が紙の第１面上に、側方に向かって逆方向でない通常の読み位置にて印刷される。紙が不透明なため、印刷した文字は紙の第１面からのみ判読可能である。
【０００６】
次に、印刷した第１面が最終的にブックカバーの外側面となり、損傷要素及び擦りに晒されるため、保護的なトップコートを付加する必要がある。したがって、インキと紙を損傷から保護するために、印刷後に、印刷したカバーシートの第１面に保護トップコートを付加する。一般に付加されるトップコートには、紫外線硬化コーディング、水性アクリル、ニス、積層材料が含まれる。積層材料には、ポリプロピレン、ポリエステル、ポリビニール、ナイロン、または、一般にゲージが０．００５インチ〜０．０３０インチの類似の材料を含むことができる。
【０００７】
積層後に、カバーシートの第２面全体にニカワまたは類似の接着剤を塗布する。次に、印刷していない第２面を、ブックボードで出来た表表紙、背表紙、裏表紙の外側面と合致させ、接着する。印刷したカバーシートの縁を表表紙、背部分、裏表紙の内面上に折り畳み、接着することで、ブックカバーの角と縁が形成される。
【０００８】
中本（本の頁）をブックカバーに綴じる際に、見返しを中本と、表カバー表紙及び裏カバー表紙両方の内面とに接着し、カバーシートの折り畳んだ縁と、表表紙及び裏表紙の内面上に露出したブックボードを全て被覆する。
【発明の開示】
【発明が解決しようとする課題】
【０００９】
印刷したカバーシートへの積層または保護コーティングを現在使用されている工程において付加するには、高額な積層またはコーティング材料を使用する必要がある。さらに、保護コーティングの付加は追加の工程、すなわち追加の処理時間及び設備が必要となる。またこれに加えて、積層またはコーティングした印刷した紙カバーの第１面は、最初は光沢のある外観を呈するが、本の連続的な摩耗と共に急速にその光沢と耐久性を損失してしまう。熱、油脂、または湿気に晒すことで、積層部分が印刷したシートから分離したり、丸まってしまう可能性、または、あらゆる保護コーティングがすり減る可能性があり、インキと紙のみでなく、ブックカバーの全体外観及び構造を破壊してしまう可能性がある。したがって、印刷したインキを最大限に保護し、ブックカバーの高い応力がかかる部分、例えばのど布及び背部分のような部分の耐久性及び強度を向上させるブックカバーを備えたハード装丁本を達成することが望ましい。
【００１０】
ソフト装丁本は、ハード装丁本に見られるハードカバーの代わりに、柔軟または曲げやすいブックカバーを使用している。ソフト装丁本は多くの場合「ペーパーバック」本と呼ばれるが、この本は軽量であり、一般にハード装丁本よりも著しく安価である。そのためソフト装丁本は、より軽量で経済的な形態で情報を幅広く流通させることでハード装丁本に代わるものを提供している。
【００１１】
ソフトカバー本は、ハード装丁本の出版費用が別途かかるような多くの状況において出版され、一般大衆に流通される。例えば、限定版のような数冊しか必要ない本、新しい著者による本または自費出版著者による本、または一般大衆への関心が限られた主題に関する本は、一般にソフトカバー形式で配本される。さらに、食料雑貨店の商品棚で見られる多くの小説本、教室にある学習帳、第二版印刷は一般にソフトカバー形式で配本される。
【００１２】
ソフト装丁本の製造は、まず、１枚の厚い不透明なカバー紙、またはこれと類似のダンボール紙のような印刷可能な紙製品を用意する。この紙製のカバーシートは２つの面、すなわち上面または第１面と、底面または第２面を備えている。組み立てたブックカバーにおいて、カバーシートの第１面は、使用者が見ることができる、ブックカバーの外面または外側面となり、カバーシートの第２面はブックカバーの内側または内面となる。
【００１３】
製造工程の第１段階において、外側の表及び裏のカバー絵、デザイン、及び/または教科書のタイトルがこの紙の第１面上に右読み方向に印刷される。つまり、タイトル文字及び/または画像が紙の第１面上に、側方に向かい逆方向ではない通常の読み位置にて印刷される。紙は不透明であるため、印刷した文字はシートの第１面からしか判読できない。
【００１４】
デザイン、他の著書目録情報、及び/または著者の写真が紙製カバーシートの第２面上に右読み方向にて印刷されるため、印刷したデザインまたは著書目録情報が本のカバーの内側または内面上に現れる。文字及び/または画像が紙の第２面上に、側方に向かい逆方向ではない通常の読み位置にて印刷される。この紙は不透明であるため、印刷した文字は、シートの２面からしか判読できない。
【００１５】
次に、印刷したカバーシートが本のカバーとなり、損傷要素及び擦りに晒されるため、保護的なトップコートを付加する必要がある。そのため、インキと紙を損傷から保護するために、印刷後に、印刷したカバーシートの第１面に保護トップコートを付加する。一般的に付加される保護トップコートには、紫外線硬化コーティング、水性アクリル、ニス、または積層材料が含まれる。積層材料には、ポリプロピレン、ポリエステル、ポリビニール、ナイロン、または、一般にゲージが０．００５インチ〜０．０３０インチの類似の材料を含むことができる。
【００１６】
保護コーティングを付加した後に、「中本」（綴じられた本の頁）をブックカバーに接着する。このカバーを中本と接触させる前に、カバーにスコアリングを施したり、または別の方法で準備することができる。次に、ブックカバーを、中本の背部分、及び/または中本の前頁及び後頁の側部付近近くに直接接着する。
【００１７】
しかし、ソフトカバー本は持ち運びに便利で安価であるため、ソフトカバー本は使用中にしばしば落としたり、物をこぼしたり、折り畳まれたり、曲げられたり、押し込まれたり、その他損傷されることが多い。さらに、ハードカバー本と同様に、熱、油脂、または湿気に晒されることで、積層が印刷した紙から分離したり、丸まってしまう可能性、または、あらゆる保護コーティングがすり減る可能性があり、インキと紙だけでなく、ブックカバーの外観と構造さえも破壊してしまう可能性がある。さらに、特に本の繰り返し使用に伴って起こる要素に晒されることで、ブックカバーが中本または本の頁から完全に分離してしまう可能性がある。
【００１８】
当然ながら、従来の紙製のブックカバーは、角、のど布、または背部分のようなブックカバーの高い応力に晒される部分の構造的補強が弱い、非常に薄い積層またはＵＶコーティングしか備えていない。その結果、保護コーティングまたは積層を補っても、従来のソフトカバー本の紙製ブックカバーは、複数回の読書または高い頻度で使用する場合に、ソフトカバー本の耐久性を増加させる上で効果的でない。
【００１９】
この理由のために、ビジネス、図書館、教室では、頻度の高いソフト装丁本を外部的なブックカバーで保護するために、ソフト装丁本の所有に経費が余計にかかり、ソフト装丁本購入の利点が損なわれてしまう。さらに、外部的なブックカバーをサイズの異なる様々なソフト装丁本に合わせることは困難であり、手作業で適切なサイズに切断する必要があるため、本が簡単に落下してしまうことが多い。本が落下しないまでも、外部的なブックカバーでは高い応力がかかる部分に対する保護力が弱く、場合によってはカバーと背部分に過度の力を付加しかねない。
【００２０】
印刷したカバーへの積層または保護コーティングの付加は、ハードまたはソフトブックカバーの強度または外観を向上させる上で完全に効果的なわけではないことがわかる。さらに、積層または保護コーティングを従来の処理で付加するには、高額な積層またはコーティング材料が必要であり、これらの処理に、さらなる処理時間及び設備を要する工程を追加しなくてはならないことを意味する。したがって、耐久性及び外観の美観に優れ、使用頻度が高い場合にも外部的カバーの追加が不要なブックカバーを備えたハード装丁本及び/またはソフト装丁本を提供することが望ましい。
【００２１】
したがって、本発明の第１の目的は、カバーがブックカバーの第１面（または外面）から判読可能な方向に現れるようにするべく、その第２面上に逆読み（側方反転または鏡像）方向にて印刷を施した、透明または実質的に透明なプラスチックあるいはセロハン材料で構成されたブックカバーと、このような改善されたブックカバーの製造方法の両方を提供することである。また、改善されたブックカバーが従来のブックカバー構造よりも優れた耐久性を有し、印刷したインキを最大限に保護し、のど布や背部分のようにブックカバーの高い応力がかかる部分の耐久性及び強度を向上させることは、本発明の目的である。
【課題を解決するための手段】
【００２２】
上述した背景技術の欠点と制限は本発明によって克服される。本発明を使用すれば、改善されたブックカバーの第１形態が得られ、この第１形態はすなわち、透明または実質的に透明なプラスチックまたはセロハン製のカバーシートで構成されており、その第２面上に逆読み（側方反転または鏡像）方向にて印刷を施し、その後、ブックボードで作成した、印刷した表表紙の第２側部、背部分、裏表紙の上に接着してハードブックカバーを形成する。
【００２３】
一般に、本発明のカバーシート材料は芯ロール上に巻着され、これをまず「シート化する」、または最終的な本の条件及び処理設備により事前に決定されたサイズに切断する。しかし、既にシート化されている材料を使用することもできる。カバーシートに使用する材料には、セロハン、Ｂｒｙｃｅ社または認可を受けた業者より登録商標ＣＯＶＥＲＬＡＭの名称で販売されている熱薄層フィルム、ナイロン、ビニール、Ｉｌｌｉｎｏｉｓ  Ｔｏｏｌｓ  Ｗｏｒｋｓ社または認可を受けた業者より登録商標ＶＡＬＥＲＯＮの名称で販売されている高密度ポリエチレンフィルム、ポリスチレン、ポリプロピレン、ポリエチレン、ポリエステル（ＰＥＴ）のような材料、または、類似の薄く、透明あるいは実質的に透明な材料が含まれる。
【００２４】
カバーシートを要求のサイズにシート化した後、次に、第２(裏)側上に、カバーデザイン、タイトル、他の画像が逆読み（側方反転または鏡像）方向にて印刷されるようにシートに印刷を施す。インキが硬化及び/または乾燥した後に、実質的にカバーシートにホイルスタンプ加工、エンボス加工、スポット二ス加工を施したり、または、ブックボード片と合致させる前に加えるホログラム加工のような任意の効果を施すことができる。
【００２５】
ブックバインダボード片は、ハードブックカバーの構造における印刷したカバーシートに構造を与える。ブックボード材料を、本の表（表表紙）、背（背表紙）、裏（裏表紙）に関連して切断する。各表紙は、要求された綴じるべき頁の寸法に従って寸法される。ブックボード材料はダンボール、Ｂｏｏｋ  Ｃｏｖｅｒ社または認可を受けた業者より登録商標ＭＡＸＩＴＥ名称で販売されている板紙材料、ヘビーゲージプラスチック、またはこれ以外の類似材料であってよい。
【００２６】
印刷後に、カバーシートの第２の、印刷を施した面に接着剤を塗布する。表表紙、背表紙、裏表紙を、カバーシートの接着剤でコーティングした第２面と合致させ、各表紙がブックカバーの表部分、背部分、裏部分と正確に整列するように位置決めを行う。各ブックボード片の１側面全体をカバーシート第２面に接着する。カバーシート材料の余剰部分を表表紙、背表紙、裏表紙上に折り畳み、接着することで、ブックカバーの縁と角が形成される。
【００２７】
本発明で、印刷したプラスチックまたはセロハンカバーシートをブックボード片に直接接着するために使用する接着剤は液状ニカワ、紫外線硬化可能接着剤を含む、Ｎａｔｉｏｎａｌ  Ｓｔａｒｃｈ  ａｎｄ  Ｃｈｅｍｉｃａｌ社または認可を受けた業者より登録商標ＵＬＴＲＡＣＡＳＥの名称で販売されているタイプの感圧ホットメルト接着剤、またはＮａｔｉｏｎａｌ  Ｓｔａｒｃｈ  ａｎｄ  Ｃｈｅｍｉｃａｌ社または認可を受けた業者より登録商標ＣＯＮＴＯＵＲの名称で販売されているタイプの放射線硬化接着剤であることが好ましい。接着剤は、従来の設備または若干改良した従来設備を使用して、カバーシートの第２面に塗布する。放射線硬化接着剤の場合には、ブックカバーをブックボード片に接着するために、塗布後にカバーシートを照射して接着剤を活性化させる。
【００２８】
見返しを中本（本の頁）に綴じ付けるが、その自由端は、表表紙と裏表紙と同サイズまたはこれよりも若干小さい。見返しを表表紙と裏表紙の内面に接着することで、折り畳んだカバーシートの縁と、残りの可視ブックボードが見返しで被覆される。一般に、見返しは厚い紙またはこれと類似の材料で構造され、表カバーと裏カバーの両方、綴じ付けた中本の終端頁に接着される。
【００２９】
さらに、本発明の改善されたブックカバーの別の実施形態も提供されるが、この実施形態は、透明または実質的に透明なプラスチックカバーシートをその第２面上に複数層において印刷するソフト装丁本のためのものである。その後、プラスチックカバーシートを、印刷を施したその第２面において中本と接着させる。
【００３０】
ここで記述しているように、カバーシート材料を芯ロール上に巻着して提供し、これをまず「シート化」するか、または、最終的な本の条件と処理設備により事前に決定したサイズに切断する。しかし、既にシート化された材料を使用することもできる。これに加えて、カバーシート材料のロールを、オフセット印刷を用いて印刷し、印刷後に適切なサイズに切断することも可能である。
【００３１】
この実施形態では、カバーシートに使用する材料には、セロハン、Ｂｒｙｃｅ社または認可を受けた業者より登録商標ＣＯＶＥＲＬＡＭの名称で販売されている熱薄層フィルム、ナイロン、ビニール、Ｉｌｌｉｎｏｉｓ  Ｔｏｏｌｓ  Ｗｏｒｋｓ社または認可を受けた業者より登録商標ＶＡＬＥＲＯＮの名称で販売されている高密度ポリエチレンフィルム、ポリスチレン、ポリプロピレン、ポリエチレン、ポリエステル（ＰＥＴ）、またはあらゆる類似の薄い、透明または実質的に透明な材料が含まれる。
【００３２】
ソフトブックカバーの用途において、一般にカバーシートの厚みは約５〜３０ｍｍである。しかし、カバーシートの厚みは、ブックカバーに使用する材料のタイプによって影響される。さらに、本のタイプ、及び予想される本の使用によっても、ブックカバーとして使用する材料のタイプと厚みが影響を受ける。例えば、使用頻度の高い用途では、カバーシートを厚く、より硬質な材料で構造することができる。
【００３３】
要求されるサイズにシート化した後に、ブックカバーの外面上に配置されるべきタイトル、著者、デザイン、またはこれ以外の任意の情報に関連した第１印刷層をカバーシートの第２面に付加する。第１印刷層を、カバーシートの第２面に逆読み（側方向または鏡像）方向にて付加することで、カバーシートを中本に接着した際に、第１印刷層が、カバーシートの第１面（本組み立て時におけるブックカバーの外面）から見て判読可能な方向に現れるようになる。
【００３４】
第１印刷層は、外部的なブックカバーデザイン全体に関連して、カバーシートの第２面全体をインキの１層において被覆することができる。しかし、第１印刷層は、カバーシートの第２面の一部分のみを被覆し、これにより、ブックカバーの外面の外観を向上させながら、追加の印刷層をカバーシートの第２面に付加できるようにすることが好ましい。
【００３５】
したがって、インキの第１印刷層の硬化及び/または乾燥後に、カバーシートの第２面に印刷層を追加することで、ブックカバーの外面の深度を増し、その外観を向上させることが可能である。追加の印刷層には、追加のアートワーク、または本に関する追加の情報が含まれる。さらに、追加の印刷層には、第１または先に印刷したそうを対比させるための白または黒といった単色の背景幕、または、複数の追加印刷層において付加する背景デザインが含まれる。
【００３６】
追加の印刷層をカバーシートの第２面に、所望の効果に従って逆読み（鏡像）方向または判読可能な方向にて追加することができる。その結果、カバーシートの第１面から見て、または組み立てた本の外面から見て、ブックカバーの外面が多次元的あるいは図形的に独特に写る。
【００３７】
ブックカバーの外面に指定したアートワーク及び他の情報に関連した印刷層を印刷、硬化及び/または乾燥させた後に、ブックカバーの内面に現れるよう意図された著作目録情報、または他の装飾に関連した印刷層をブックカバーの第２面に付加する。ブックカバーの内面上に現れるよう意図されたこの印刷層は、カバーシートの第２面に判読可能な方向にて印刷されるため、カバーシートを中本に接着した際に、カバーシートの第２面（つまり、本組み立て時における内面）から見て、印刷層が判読可能な方向にて表示されるようになる。
【００３８】
印刷層は、内部ブックカバーデザイン全体に関連したインキ層において、カバーシートの第２面全体を被覆する。しかし、印刷層は、追加の印刷層のカバーシートの第２面への付加を可能にしながら、カバーシートの第２面の一部分のみを被覆して、内部ブックカバーのデザインを完成させることが好ましい。
【００３９】
さらに、カバーシート上に各層を印刷する前、後、及び/または夫々の印刷の間に、カバーシートにホイルスタンプ加工、エンボス加工、スポット二ス加工を施したり、または、以降に印刷した任意の層が硬化及び/または乾燥した後に、カバーシートの第１面、またはカバーシートの第２面に付加したホログラム加工のような効果を任意に施すことが可能である。
【００４０】
カバーシートが完成すると、本のタイトル、カバーアートワーク、または、ブックカバーの外側/外面上に表示するよう意図したこれ以外の情報を、カバーシートの第１面からのみ見えるように付加することができる。つまり、ブックカバーの内側/内面に付加するよう意図した情報はブックカバーの外面からは見えないということである。同様に、ブックカバーの内面/表面上に表示されるよう指定された著作目録情報または他の装飾を、ブックカバーの第２面、または内側/内面からのみ見えるように付加することが可能である。
【００４１】
あるいは、「シースルー」または部分的に透明なブックカバーを設けることが望ましい場合もある。この場合には、ブックカバーに、インキを含有しない透明または実質的に透明な部分を残し、カバーシートの第１面から第２面へとブックカバーを文字通り見通せるようにすることもできる。さらに、ブックカバーの「シースルー」部分により、ブックカバーを通して、中本の見返し上に印刷した画像または文字を見通すことが可能である。
【００４２】
印刷後に、カバーシートの第２面を、ミシン綴じ、接着、縫い綴じ、リベット締めした中本を含む任意タイプの中本に綴じ付けることができる。これに加え、当業者に知られている、無線綴じ、レイフラット、ミシン綴じソフトカバー製本を含む任意の従来の製本工程を使用して、カバーシートの第２面を中本に綴じ付けることも可能である。
【００４３】
さらに、本発明のブックカバー構造は、カバーシートの第２面を中本に接着する別の製本方法を許容する。例えば、中本を、中本の頁に綴じ付けたプラスチック補強したシートを含むように適合させることができる。次に、補強したシートを中本に沿って、印刷したカバーシートの第２面に接着することができる。
【００４４】
したがって、本発明が、魅力的でダイナミックな外観のハードまたはソフトブックカバーを達成するべく、実質的に透明なシートの第２面上に複数層において印刷したプラスチックのような実質的に透明な材料で構造した、改善されたブックカバーと、このような改善されたブックカバーの製造方法の両方を示唆することが理解できる。
【００４５】
本発明の改善したブックカバーは、積層またはＵＶコーティングを使用せずに、魅力的な外観と高い耐久性を有する光沢のある第１面を有する。ブックカバーに積層またはＵＶコーティングを施す必要を省くことで、本発明の改善されたブックカバーを、従来の紙製のブックカバーと比較してより安価及び/またはより効率的にすることができる。
【００４６】
本発明のこれら及び他の利点は、図面を参照することで最良に理解される。
カバーシートがその第２面上に逆読み方向にて印刷されているため、ブックカバーの第１（または外）面上にこの印刷を見ることができる。本発明による改善されたブックカバーは、高額な積層または保護コーティングを要する紙製のブックカバーの必要を省き、このような従来のブックカバーに耐久性と強度を追加すると同時に、従来のブックカバー構造に優れた光沢的外観を与える。
【発明を実施するための最良の形態】
【００４７】
本発明の改良されたブックカバーの第１実施形態を図１に示す。図１に示すように、改善されたブックカバーの最も特徴的な部分は、新規構造の透明または半透明のカバーシート３０にある。最も単純な形態における改善されたブックカバーは、前面または第１面３２、裏面または第２面３４を備えたカバーシート３０で構成されている。カバーシート３０の第２面３４上には、逆読み（側方反転または鏡像）方向に向かう標示部（図１には図示せず）が印刷される。本発明の改善されたカバーシート３０の第２面３４は、図４〜図７と共に以降に説明するように、ブックバインダボードの表表紙、背表紙、裏表紙に接着固定され、その後、図８、図９と共に以降に説明するように、本の頁がブックカバーに綴じられる。
【００４８】
次に図１を参照し、改善されたブックカバーの製造に使用するカバーシート３０の構造について説明する。第１面３２、第２面３４に加えて、カバーシート３０は右端３６、左端３８、頂部端４０、底部縁４２を備えている。
【００４９】
カバーシート３０は、薄く、可撓性の透明または半透明の材料で構造される。この透明または半透明の材料はセロハン、Ｂｒｙｃｅ社または認可を受けた業者より登録商標ＣＯＶＥＲＬＡＭの名称で販売されている熱薄層フィルム、ナイロン、ビニール、Ｉｌｌｉｎｏｉｓ  Ｔｏｏｌｓ  Ｗｏｒｋｓ社より登録商標ＶＡＬＥＲＯＮの名称で販売されている高密度ポリエチレンフィルム、ポリスチレン、ポリプロピレン、ポリエチレン、ポリエステル（ＰＥＴ）、またはこれらの組み合わせであってよい。さらに、カバーシート３０が実質的に透明に保たれる限り、カバーシート材料を薄い可視色に色付けすることができる。
【００５０】
透明または半透明の材料は、一般に芯上に巻着させたロールとして提供され、これをシート状に切断してカバーシート３０が形成される。あるいは、製造業者が透明または半透明の材料を事前にシート化し、必要であれば次にこれを指定サイズにトリミングして提供することも可能である。一般に、カバーシート３０は矩形形状であり、最終的な本製品の条件、頁数、処理設備の条件に関連して寸法が設定される。
【００５１】
図１に示すように、カバーシート３０は、参照符号４４で示す総表面領域を備えており、この総表面領域は、符号４６で示す表カバー、背部分、裏カバーを合わせた全体外郭（図１に一点鎖線で示している）よりも大きい。そのため、改善されたブックカバーを組み立てると、カバーシート３０の総表面領域４４の大きさは外郭４６を超えた状態となる。カバーシート３０を矩形形状として図示しているが、このカバーシート３０は、綴じるべき最終的な本製品に要求されるあらゆる形状またはサイズであってよい。
【００５２】
次に図２、図３を参照すると、本のタイトル、カバー画像、及び/またはカバーアートワークのような印刷した標示部４８が、カバーシート３０の第２面３４上に、直接、逆読み（側方反転または鏡像）方向で印刷される。したがって、第２面３４から見た場合に、印刷した標示部４８が鏡像または逆方向に表示される（図２に示すとおり）。カバーシート３０は透明または半透明であるため、カバーシート３０の第１面３２から見た場合に、印刷した標示部４８が右読み（判読可能）方向に表示される（図３に示すとおり）。
【００５３】
図２、図３に示すように、仕上がり製本の表カバー、背部分、裏カバーの外面上に表示されるようにした任意の印刷した標示部４８が、カバーシート３０の第２面３４上の画像領域５０内に印刷される。画像領域５０は実質的に表カバー４２、背部分、裏カバーに関連するが、典型的には、ブックカバーの縁、ブックカバーの表部分、背部分、裏部分を被覆できるように、外郭４６よりも若干大きくなっている。
【００５４】
印刷した標示部は、当業者に知られている単色または複数色刷りの枚葉紙印刷機を使用して、カバーシート３０の第２面３４上に印刷される。この印刷した標示部４８は、紫外線（ＵＶ）硬化型インキを用いて印刷することが好ましい。しかし、印刷した標示部４８は、ヒートセットインキ、コールドセットインキ、または、当業者に知られているこれ以外のあらゆる従来のインキを使用してカバーシート３０の第２面３４上に印刷することもできる。さらに、オフセット印刷を使用して、本発明による改善されたブックカバーのカバーシート３０を印刷してもよい。オフセット印刷を使用する場合には、透明または半透明の材料がロール上に配置され、材料に印刷が施され、続いて要求されるサイズのカバーシート３０に切断される。
【００５５】
第２面３４上に印刷した標示部４８に加えて、カバーシート３０にホイルスタンプ加工、エンボス加工、スポットニス加工を施したり、またはこれ以外の様々な特殊効果、例えばホログラム加工をカバーシート３０の第２面３４に施すことができる。本発明の改善されたブックカバーのこれ以外の実施形態では、カバーシート３０の第２面３４に付加した印刷した標示部４８に加えて、またはこの代わりに、カバーシート３０の第１面３２に付加した印刷した標示部、ホイルスタンプ加工、ニス加工、あるいはこれ以外の例えばホログラム加工のような様々な効果を追加的に含むことができる。
【００５６】
次に図４を参照すると、ブックバインダボードまたは類似の材料で作成した表表紙５２、背表紙５４、裏表紙５６を使用して、カバーシート３０に剛性を与えることで改善されたブックカバーが得られる。上述したように、表カバー、背部分、裏カバーを合わせた全体外郭４６は、カバーシート３０の総表面領域４４よりも概して小さい。
【００５７】
次に、図４に加えて図５〜図７を参照すると、カバーシート３０、表表紙５２、背表紙５４、裏表紙５６から成るブックカバー５８を示している。図７に示すように、表表紙５２、背表紙５４、裏表紙５６は、それぞれ符号６０、６２、６４で示す第１外面と、それぞれ符号６６、６８、７０で示す第２外面とを備えている。改善されたブックカバー６８を組み立てた状態で、表表紙５２、背表紙５４、裏表紙５６の第１面６０、６２、６４のそれぞれがブックカバー５８の外面または外側面となる。同様に、表表紙５２、背表紙５４、裏表紙５６の第２面６６、６８、７０のそれぞれが、改善されたブックカバー５８の内面または内側面となる。
【００５８】
表表紙５２、背表紙５４、裏表紙５６を無漂白のクラフト紙、イーフルート波形ボード、ダンボール、Ｂｏｏｋ  Ｃｏｖｅｒ社または認可を受けた業者より登録商標ＭＡＸＩＴＥの名称で販売されている板紙材料、ヘビーゲージプラスチック、またはこれ以外の、特定のブックカバー用途に必要な硬性をカバーシート３０に与える、業界で知られている材料で構造することができる。
【００５９】
当業者には、改善されたブックカバー５８と、本発明による改善されたブックカバー５８の製造方法を使用して、柔軟で可撓性のブックカバーを構成することができる。この用途では、好ましいハード装丁本で使用する硬質のバインダボードピースを使用するのではなく、印刷を施したカバーシート３０をヘビーゲージ紙、可撓性プラスチック、またはこれ以外の可撓性材料と合わせて、柔軟なブックカバーを作成する。さらに、本発明の柔軟なカバーの使用には、ブックカバー構造に使用するためのより厚型の透明または不透明な材料の印刷を施したカバーシート３０が含まれる。
【００６０】
図７に示すように、カバーシート３０の第２面３４の、その総表面領域４４全体（図４に示す）をカバーする、印刷した標示部４８上に接着剤７２が塗布されている。接着剤７２は液状ニカワ、感圧ホットメルト接着剤、また、紫外線硬化可能接着剤を含む放射線硬化接着剤、あるいはこれらの合成物であってよい。接着剤７２は、従来の塗布システム、または若干改良した技術上知られている接着剤塗布システムを使用して塗布される。次に、カバーシート３０を、表表紙５２、背表紙５４、裏表紙５６に関連して適所に配置し（図４に示すとおり）、これらの構成部分の縁を包む（図５〜図７に示すとおり）。放射線硬化接着剤を使用する場合には、ここで接着剤７０を活性化するか、または必要な光源で照射する。カバーシート３０の第２面３４上の印刷した標示部４８を破壊しない限り、プラスチックまたはセロハン製のカバーシート３０を表表紙５２、背表紙５４、裏表紙５６に接着する任意のＵＶ接着剤、またはニカワを含む他の接着剤、あるいは当業者に知られているこれらの合成物を使用することができる。
【００６１】
カバーシート３０の第２面３４に接着剤７２を塗布した後に、表表紙５２、背表紙５４、裏表紙５６（図５、図６に示す）を、接着剤で被覆したカバーシート３０の第２面３４と一致させ、これにより、表カバー７４、背部分７６、裏カバー７８を形成する。表表紙５２、背表紙５４、裏表紙５６は、ブックカバー５８の表カバー７４、背部分７６、裏カバー７８上に表示される印刷した標示部４８に関連して画像領域５０に整列される（図６に示す）。
【００６２】
表表紙５２、背表紙５４、裏表紙５６（これらは全てブックボードで構成される）の第１表面６０、６２、６４の各々をカバーシート３０と一致させた後に、カバーシート３０の接着剤で被覆した第２面３４を表表紙５２、背表紙５４、裏表紙５６を越えて広げる。次に、カバーシート３０の縁３６、３８、４０、４２を表表紙５２、背表紙５４、裏表紙５６の第２面６６、６８、７０上にそれぞれ折り畳み、接着する（図５、図７に示す）。
【００６３】
図５、図８に示すように、カバーシート３０の縁３６、３８、４０、４２を表表紙５２、背表紙５４、裏表紙５６の第２面６６、６８、７０上へ折り畳み、接着すると、ブックカバー５８の４つの角８０、８２、８４、８６が形成される。角８０、８２、８４、８６は、従来のケース製造装置上に従来の方法で折り畳んだタイプの角であってよく、また、湾曲形、角形、ライブラリ形、あるいは当業者に知られているこれ以外の任意の角タイプであってよい。角８０、８２、８４、８６は、従来のケース製造装置に供給する前にトリミングされるか、あるいはケース製造工程の一部として形成される。
【００６４】
次に図８、図９を参照すると、改善されたブックカバー５８に中本８８を綴じ付ける際に、一対の見返し９０、９２を設けている。第１見返し９０を、表表紙５２の露出した第２面６６、カバーシート３０の折り畳んだ縁３６、４０、４２を被覆しながら、表表紙５２と、中本８８の開始部における終端頁９４との両方に接着する。同様に、第２見返し９２を、裏表紙５６の露出した第２面７０と、カバーシート３０の折り畳んだ縁３８、４０、４２とを被覆しながら、裏表紙５６、中本８８の終了部における終端頁９６との両方に接着する。
【００６５】
図１０〜図２４は、ソフト装丁ブックカバー用途に使用するための本発明の応用実施形態を示す。図１０に示すように、新規構造の透明または半透明のカバーシート１３０を設けている。改善されたブックカバーは、その最も単純な形態において、第１または表面１３２、第２または裏面１３４を備えたカバーシート１３０で構成される。カバーシート１３０は、図１１〜図２０と共に以降に説明するように、その第２面１３４に複数層の印刷した標示部（図１０には図示せず）を付加し、次に、図２１〜図２４と共に以降に説明するように、中本の頁をブックカバーに綴じる。
【００６６】
次に図１０を参照し、改善された柔軟なブックカバーの製造に使用するカバーシート１３０の構造について説明する。第１面１３２、第２面１３４に加えて、カバーシート１３０は右縁１３６、左縁１３８、頂部縁１４０、底部縁１４２を備えている。一般に、カバーシート１３０の第１面１３２は、これを本の頁と共に完全に組み立てると、ソフトブックカバーの外面となる。同様に、カバーシート１３０の第２面１３４は、これを本のページと共に完全に組み立てると、ソフトブックカバーの内面となる。
【００６７】
カバーシート１３０は可撓性の透明または半透明の材料で構造される。透明または半透明の材料はポリエステル、ナイロン、ビニール、Ｂｒｙｃｅ社または認可を受けた業者より登録商標ＣＯＶＥＲＬＡＭの名称で販売されている熱薄層フィルム、Ｉｌｌｉｎｏｉｓ  Ｔｏｏｌｓ  Ｗｏｒｋｓ社より登録商標ＶＡＬＥＲＯＮの名称で販売されている高密度ポリエチレンフィルム、ポリスチレン、ポリプロピレン、ポリエチレン、またはこれらの任意の組み合わせであってよい。さらに、カバーシート１３０が実質的に透明な状態に保たれる限り、カバーシート材料を薄い可視色に色付けすることもできる。
【００６８】
カバーシート１３０の厚みは、約５〜約３０ミリであることが好ましい。しかし、カバーシートの厚みは、ブックカバーに使用する材料のタイプに影響されるため、カバーシートを好ましい厚みの範囲よりも厚くまたは薄くすることが可能であると考えられる。したがって、比較的薄い材料で構成する場合にはカバーシートを可撓性にすることができ、また、比較的厚い材料で構成する場合にはカバーシートを硬質にし、ハードカバー本の製造に使用することができる。
【００６９】
さらに、本のタイプ、及びその予想される用途も、ブックカバーに使用する材料のタイプ及び厚みに影響を及ぼす。例えば、図書館で貸し出すためのソフト装丁本は、より頑丈なブックカバーを要するため、より厚いカバーシート、またはより頑丈な材料で製造したカバーシートを設けている。またさらに、本発明に従って構造したブックカバーは、児童本のような通常とは極端に異なる状況に晒される本にブックカバーを使用することを目的とした場合には、完全に硬質にすることが考えられる。
【００７０】
透明または半透明の材料は、一般に芯上に巻着されたロールとして提供され、これをシート状に切断し、カバーシート１３０を形成する。あるいは、製造業者が透明または半透明の材料を事前にシート化し、必要であれば次にこれを指定サイズにトリミングして提供することも可能である。カバーシート３０は、綴じるべき最終的な本製品に要求されるあらゆる形状またはサイズを取り得る。
【００７１】
図１１に示すように、カバーシート１３０は、符号１４４で示す総表面領域を備え、この総表面領域は、表カバー部分１４６、裏カバー部分１４８、背部分１５０（図１中では、例証のために別個の破線で示す）を含む。以降に詳細に説明するように、カバーシート１３０の表カバー部分１４６上に印刷した情報が、組み立てた本の表カバーの外面または内面のいずれかの上に表示される。同様に、カバーシート１３０の裏カバー部分１４８内に印刷した情報が、組み立てた本の裏カバーの外面または内面のいずれかの上に現れ、また、カバーシート１３０の背部分内に印刷した情報が、組み立てた本の背部分の第１面上に表示される。
【００７２】
次に図１１、図１２を参照すると、柔軟なブックカバーの外面上に表示されるようにする本のタイトル、カバー画像、及び/またはカバーアートワークのような印刷した標示部１５２の第１層が、カバーシート１３０の第２面１３４上に直接、逆読み（側方反転または鏡像）方向にて印刷される。したがって、印刷した標示部１５２の第１層が、第２面１３４から見て鏡像または逆読み方向にて表示される（図１１に示すとおり）。カバーシート１３０は透明または半透明であるため、印刷した標示部１５２の第１層が、カバーシート１３０の第１面１３２から見て右読み（判読可能）方向にて表示される（図１２に示すとおり）。
【００７３】
図１３、図１４に示すように、印刷した標示部１５２の第１層を硬化及び/または乾燥させた後に、印刷した標示部１５４の第２層をカバーシート１３０の第２面１３４に付加することができる。印刷した標示部１５４の第２層は、追加のアートワーク、本に関する情報、あるいは組み立てた本の表カバー、裏カバー、及び/または背部分の外面上に表示されるようにする他の任意のデザインを含むことができる。
【００７４】
図１３、図１４にさらに示すように、印刷した標示部１５４の第２層が、カバーシート１３０の第１または外面１３２から見て判読可能方向に表示される文字または画像を含む場合には、これらの文字または画像を、カバーシート１３０の第２面１３４の、印刷した標示部１５２の第１層上に逆読み方向にて印刷する。カバーシート１３０は透明または半透明であるため、逆読み方向にて印刷した標示部の第２層の任意の部分が、カバーシート１３０の第１面１３２から見て右読み（判読可能）方向にて表示される（図１４に示すとおり）。
【００７５】
しかし、印刷した標示部１５４の第２層が、好ましい判読可能方向にない画像またはデザインを含む場合、または本質的に対称的である場合には、これらの画像またはデザインを、所望の効果に応じ、逆読み方向または右読み（判読可能）方向のいずれかにて、カバーシート１３０の第２面１３４の、印刷した標示部１５２の第１層上にかけて印刷することができる（図１３、図１４に示すとおり）。
【００７６】
当業者は、組み立てた本の表カバーの外面上、裏カバー、背部分に表示されるようにした印刷した材料を、所望または必要な限り多くの層に印刷して、所与の視覚効果を得ることができる。このような印刷した層により、深さが加わり、全体的なブックカバーの外面の視覚効果を強調することができる。
【００７７】
したがって、標示部１５２、１５４の印刷した層の各々は、カバーシート１３０の総表面領域１４４を必要なだけ広く、または狭く被覆することで、ブックカバーの外面に望まれる視覚効果を達成することができる。例えば、印刷した層１５２、１５４の各々は、カバーシート１３０の総表面領域１４４の一部分だけを占め、次に、総表面領域１４４の印刷していない部分を充填するべく使用している印刷した層を付加してもよい。あるいは、総表面領域１４４の少なくとも一部分上に相互に重なる印刷した層を含め、カバーシート１３０の総表面領域の一部分を全く印刷しない状態に残すことで、積層効果を達成することも可能である。さらに、印刷した層の被覆率を、カバーシート１３０の総表面領域１４４の１００％にすることができる。
【００７８】
例えば、印刷した標示部１５４の第２層が硬化及び/または乾燥した後に、図１５に示すように、カバーシート１３０の第２面１３４の、印刷した標示部１５２、１５４の第１、第２層にかけて第３の印刷層１５６を付加する。第３印刷層１５６は総表面領域１４４を１００％被覆する（例証の目的で、図１５中に、底部縁１４２付近において部分的なカットアウェイにて示す）。第３の印刷層１５６は、印刷した標示部１５６、１５４の第１、第２層の各々上の背景幕または背景グラフィックであってよく、また、第３の印刷層１５６を黒または白のようなべた一色にして、印刷した標示部１５２、１５４の第１層、第２層をそれぞれ対照的に引き立たせてもよい。
【００７９】
次に図１６を参照すると、柔軟なブックカバーの外面上に表示されるよう指定された印刷した標示部または印刷した情報を完全に付加し、硬化及び/または乾燥させた後に、柔軟なブックカバーの内面上に標示されるよう指定されたこの印刷した情報に関連する追加の印刷した標示部の層を付加する。したがって、柔軟なブックカバーの内面に指定された情報がカバーシート１３０の表カバー部分１４６及び裏カバー部分１４８内に印刷される。背部分１５０の内面が本の頁に対して綴じられるため、一般に、本を組み立てた際にブックカバーの内面から見ることができる印刷情報がこの部分には含まれないことが当業者には明白であろう。
【００８０】
したがって、著作情報及び/または他の装飾に関する印刷した標示部１５８の第４層が、カバーシート１３０の第２面１３４上の、先に付加した層１５２、１５４、１５６上にかけて、右読み方向にて印刷される（図１７に示すとおり）。この印刷した標示部１５８の第４層をカバーシートの第２面１３４から見ると、判読可能な方向に表示されている（図１６に示すとおり）。
【００８１】
印刷した標示部１５８の第４層を硬化し、及び/または乾燥した後に、追加の印刷した標示部の層をカバーシート１３０の第２面に付加し、ブックカバーの内面上に現れるように指定された材料を完成することができる。したがって、ブックカバーの内面上に標示されるよう指定された印刷した材料を、所望の、または必要な層数で印刷して所与の視覚効果を得ることが可能である。このような印刷した層により、深さが増し、また、本のカバー全体の内面の視覚効果を強調することができる。
【００８２】
カバーシート１３０が透明または半透明であるため、先に付加したインキ層によっては、全体被覆標示部１５８の第４の印刷した層と、ブックカバーの内面上に表示されるべき材料に関連したこれ以降に付加する任意の標示部の層が、カバーシート１３０の第１層１３４（または、組み立てた本のブックカバーの内面）から見える。
【００８３】
例えば、次に図１８〜図２０に示すように、ブックカバーの外面と内面の両方から見ることができる画像１６０を設けることが望ましい場合もある。この場合は、その後に付加する印刷した層を、カバーシート１３０の総表面領域１４４の一部分１６２を全く印刷しない状態及びインキの付かない状態に保ちながら、カバーシート１３０の総表面領域１４４の一部分のみを占めるようにする。図１９、図２０からわかるように、画像１６０をカバーシートの第２面１３４上に付加した場合、この画像１６０を、カバーシート１３０の第１（または外）面１３２（図２０に示す）と、カバーシート１３０の第２（または内）面１３４（図１９に示す）の両方から見ることが可能である。
【００８４】
さらに、カバーシート１３０は、総表面領域１４４の、全くの無印刷部分とインキが全く付いていない部分を含む部分、または、光を通すインキ層のみを含む部分を含有することで、ブックカバーを本の頁と共に組み立てた際に、ブックカバーの外観を透明または「シースルー」にすることが可能になる。これを、図中の、画像１６０を含む部分１６２の領域内に示す。
【００８５】
さらに、各層の印刷前、印刷後、及び/または各層の印刷と印刷の間に、カバーシート１３０をホイルスタンプ加工、エンボス加工、スポットニス加工したり、あるいは、ホログラム加工のようなこれ以外の様々な特殊効果をカバーシート１３０の第２面１３４に追加することが可能である。本発明による改善されたブックカバーの他の実施形態は、印刷した標示部、ホイルスタンプ加工、ニス加工をさらに含むことができ、あるいは、本発明による改善されたブックカバーの他の実施形態は、カバーシート１３０の第２面１３４に付加した印刷した標示部１５２、１５４、１５６、１５８に加えて、またはこの代わりに、カバーシート１３０の第１面１３２に付加した印刷した標示部、ホイルスタンプ加工、ニス、あるいはこれ以外のホログラム加工のような様々な効果を追加的に含むことができる。例えば、図２０に示すように、カバーシート１３０の第２面１３４にエンボス加工を施して、表カバー部分１４６上に質感を与えたり、レリーフ（起伏）を作成している。
【００８６】
当業者に知られている単色または複数色枚葉紙印刷機を使用して、印刷した層１５２、１５４、１５６、１５８をカバーシート１３０の第２層１３４上に印刷する。印刷には紫外線（ＵＶ）硬化インキを用いることが好ましい。しかし、ヒートセットインキ、コールドセットインキ、またはこれ以外の当業者に知られている従来のあらゆるインキ、あるいはこれらの組み合わせを使用して、印刷した層１５２、１５４、１５６、１５８をカバーシート１３０の第２層１３４上に印刷することも可能である。さらに、オフセット印刷を用いて、本発明による改善されたブックカバーのカバーシート１３０に印刷を施してもよい。オフセット印刷用途では、透明または半透明の材料をロール上に巻着させ、この材料に巻取り印刷を施し、その後、要求されるサイズのカバーシート１３０に切断する。
【００８７】
印刷完了後に、製本の準備として、技術上知られている任意の方法でカバーシート１３０のトリミング、折目付け、または仕上げを行う。仕上げが完了すると、ソフトブックカバー１６６を形成するべく、印刷したカバーシート１３０の第２面１３４を中本１６４（本の頁）と結合する準備ができる。
【００８８】
本発明のより広域な局面と同様に、カバーシート１３０を実質的に硬質の材料で構造することが可能である。前述した方法と同様の方法で、実質的に硬質なカバーシート１３０をその第２面１３４上に印刷し、ハードブックカバーを形成する。
【００８９】
次に、ブックカバー１３０を、ミシン綴じ、接着、縫い綴じ、リベット締めした任意のタイプの中本１６４、またはこれ以外の、当業者に知られている任意の形態の中本に対して綴じることができる。さらに、無線綴じ、レイフラット、ミシン綴じソフトカバー製本を含む当業者に知られている従来のあらゆる製本工程を用いて、ブックカバー１６６を中本１６４に対して綴じることも可能である。
【００９０】
さらに、本発明は、改善された製本方法を用いて中本１６４に綴じることができる改善されたブックカバー１６６を提供する。図２１、図２２を参照すると、中本１６５をカバーシート１３０の第２面１３４に対して綴じるための第１の改善された方法を示している。したがって、中本１６４は、中本１６４の第１シート、最終シートとして中本１６４に綴じられる第１終端頁１６８と最終端頁１７０を含む。
【００９１】
終端頁１６８、１７０は透明または半透明の材料で構成されるが、この材料には、セロハン、Ｂｒｙｃｅ社または認可を受けた業者より登録商標ＣＯＶＥＲＬＡＭの名称で販売されている熱薄層フィルム、ポリエステル、ナイロン、ビニール、Ｉｌｌｉｎｏｉｓ  Ｔｏｏｌｓ  Ｗｏｒｋｓ社より登録商標ＶＡＬＥＲＯＮの名称で販売されている高密度ポリエチレンフィルム、ポリスチレン、ポリプロピレン、ポリエチレン、ポリエステル（ＰＥＴ）、またはこれらの組み合わせが含まれる。さらに、終端頁１６８、１７０を紙、または、当業者に知られているこれ以外の任意の紙ベースの材料で構成することもできる。終端頁１６８、１７０には、これを同本の他の頁に綴じる前に、印刷を施したり、または、当業者に知られている任意の方法によりいずれかの側に特殊効果を加えることができる。
【００９２】
終端ページ１６８、１７０を含む中本１６４をカバーシート１３０の第２面１３４に綴じるために、中本１６４の綴じ縁１７２をカバーシート１３０の背部分１５０と整合させ、カバーシート１３０の第２面１３４に直接接着する。次に、第１終端頁１６８をカバーシート１３０の第２面１３４に対して整合、積層、あるいは接着するため、表カバー部分１４６が第１終端頁１６８により実質的に完全に被覆される。同様に、最終端頁１７０をカバーシート１３０の第２面１３４に対して整合、積層、あるいは接着するため、裏カバー部分１４８が最終端頁１７０により実質的に完全に被覆される。こうすることで、終端頁１６８、１７０が、カバーシート１３０を中本１６４に取り付け、これによりブックカバー１６６を補強し、カバーシート１３０の第２面１３４上に印刷したインキを保護するために使用される。
【００９３】
最後に図２３、図２４を参照すると、中本１６４をカバーシート１３０の第２面１３４に第２の改善された方法を示している。この実施形態では、中本１６４は、中本１６４の見出し頁及び終端ページとして中本１６４に綴じられた第１終端頁１７４、最終端頁１７６を含む。
【００９４】
終端頁１７４、１７６は厚い紙、または、当業者に知られている任意のプラスチック加工した補強材料で構成することができる。さらに、終端頁１７４、１７６を本のこれ以外の頁と共に綴じる前に、最終頁１７４、１７６に印刷を施したり、当業者に知られた任意の方法によりいずれかの側に特殊効果を加えることができる。
【００９５】
さらに、中本１６４を改善されたブックカバー１６６に綴じる際に、一対の見返し１７８、１８０を設ける。見返し１７８、１８０は光を通す透明または半透明な任意の材料で構成するが、この材料には、セロハン、Ｂｒｙｃｅ社または認可を受けた業者より登録商標ＣＯＶＥＲＬＡＭの名称で販売されている熱薄層フィルム、ナイロン、ビニール、Ｉｌｌｉｎｏｉｓ  Ｔｏｏｌｓ  Ｗｏｒｋｓ社より登録商標ＶＡＬＥＲＯＮの名称で販売されている高密度ポリエチレンフィルム、ポリスチレン、ポリプロピレン、ポリエチレン、ポリエステル（ＰＥＴ）、またはこれらの組み合わせが含まれる。さらに、見返し１７８、１８０には印刷を施したり、当業者に知られている任意の方法によりいずれかの側に任意の特殊効果を加えることができる。
【００９６】
第１見返し１７８は、カバーシート１３０の第２面１３４と、中本１６４の最初にある第１終端頁１７４の両方に対して、カバーシート１３０の表カバー部分１４６を実質的に被覆しながら積層または接着される（図２３に、部分的にカットして示す）。同様に、第２見返し１８０は、カバーシート１３０の第２面１３４と、中本１６４の最終部分にある最終端頁１７６の両方に対して、カバーシート１３０の裏カバー部分１４６を実質的に被覆しながら、積層あるいは接着される（図２３に、部分的にカットして示す）。
【００９７】
いずれの実施形態においても、本発明による改善されたブックカバー１６６は、当業者に知られた任意の接着剤を用いて、中本１６４に接着することが可能である。例えば、接着剤は液状のニカワ、感圧ホットメルト接着剤、紫外線硬化可能接着剤を含む放射線硬化接着剤、またはこれらの合成物であってよい。接着剤は、従来型の、または若干改善された技術上知られた接着剤塗布システムを使用して塗布する。
【００９８】
さらに、放射線硬化接着剤を使用する場合には、接着剤を活性化させるか、または要求されるＵＶ光源で放射する。使用する接着剤がカバーシート１３０を中本、及び/または本の構造に含まれる任意の見返しあるいは終端ページに対して適切に接着する限り、任意のＵＶ接着剤、または、当業者に知られているこれ以外のニカワまたはこれらの合成物を含む接着剤を使用できることが明白になるだろう。
【００９９】
本発明は、特にのど布または背部分のような、ブックカバーのより大きな負担がかかる範囲において、ブックカバーの強度と耐久性を増加させるプラスチックまたはセロハンタイプの材料で構成した改善されたブックカバーを提供することができる。本発明による改善されたブックカバーはさらに、従来のブックカバーよりも優れた光沢のあるブックカバーを提供する。
【０１００】
本発明の例証的な実施形態を、特定の実施形態及びその用途を参照しながら示し、説明してきたが、当業者には、本発明の精神または範囲を逸脱しない限り、ここで記載した本発明に多数の変更、改良、応用形を加えられることが明白であろう。したがって、このような変更、改良、応用形は全て、本発明の範囲内に包含されるものとして見られるべきである。
【０１０１】
本発明による改善されたブックカバーは、高額な積層または保護コーティングを要する紙製のブックカバーの必要を省き、このような従来のブックカバーに耐久性と強度を追加すると同時に、従来のブックカバー構造に優れた光沢的外観を与える。
【図面の簡単な説明】
【０１０２】
【図１】本発明の一実施形態によるブックカバーの構成に使用する、カバーシートの印刷していない第１または表面の平面図であり、第２面を表示するべく角を上方に持ち上げた状態で示している。
【図２】図１に示したカバーシートの第２面の平面図であり、第２面上に印刷した逆読み（側方反転または鏡像）の標示部を示す。
【図３】図１、図２に示したカバーシートの第１面の平面図であり、第２面上に印刷した標示部を、カバーシートを通して判読可能方向にて明瞭に見ることができる。
【図４】図１〜図３に示したブックカバーの構成に使用したカバーシートの第２面の平面図であり、カバーシート上に位置決めし、画像領域と整合させた表表紙、背表紙、裏表紙を示している。
【図５】本発明の一実施形態によるブックカバーの裏側の平面図であり、その内面を、第２面上に縁を折り畳んだ状態にて示している。
【図６】図５に示したブックカバーの表側の平面図であり、その外面を示している。
【図７】図５、図６に示したブックカバーの、図５中の線７−７に沿った断面図であり、カバーシート、印刷した標示部、接着剤層、表表紙、背表紙、裏表紙を示している。
【図８】図１〜図８に示した、中本に綴じ付けたブックカバーの斜視図であり、見返しの取り付けを示している。
【図９】図１〜図９に示した、中本に綴じ付けたブックカバーの斜視図である。
【図１０】本発明の第２実施形態によるブックカバーを構成するべく使用するカバーシートの印刷していない第１または表面の平面図であり、その第２面または裏面を示すべく角を持ち上げた状態を示している。
【図１１】図１０に示したカバーシートの第２面の平面図であり、その第２面上に印刷した逆読み（側方反転または鏡像）の標示部を示す。
【図１２】図１０、図１１に示したカバーシートの第１面の平面図であり、カバーシートを通して、第２面上に印刷した標示部を判読方向にて明瞭に見ることができる。
【図１３】図１０〜図１２に示したカバーシートの第２面の平面図であり、カバーシートに付加した印刷した標示部の第２層を示している。
【図１４】図１０〜図１３に示したカバーシートの第１面の平面図であり、カバーシートを通して、標示部の第２層を判読可能方向にて明瞭に見ることができる。
【図１５】図１０〜図１４に示したカバーシートの第２面の平面図であり、カバーシート第２付加した印刷した標示部の第３層を示している。
【図１６】図１０〜図１５に示したカバーシートの第２面の平面図であり、カバーシートに付加した印刷した標示部の第４層を示している。
【図１７】図１０〜図１６に示したカバーシートの、図１６中の線１７−１７に沿った断面図であり、カバーシートと印刷した標示部の層とを示している。
【図１８】本発明の一実施形態によるカバーシートの第２面の平面図であり、その非印刷部分を示している。
【図１９】図１８に示したカバーシートの第２面の平面図であり、非印刷部分内に付加した画像を示しており、この画像は、カバーシートの第２面から判読可能方向にて明瞭に見ることができる。
【図２０】図１８、図１９に示したカバーシートの第１面の平面図であり、非印刷部分内に付加した画像を示しており、この画像を、カバーシートを通して判読可能方向にて明瞭に見ることができる。
【図２１】第１の改善された製本方法を使用して中本に綴じ付けた、本発明に従って構成したブックカバーの底端面図である。
【図２２】第１の改善された製本方法を使用して中本に綴じ付けた、図２１に示した改善されたブックカバーの斜視図である。
【図２３】第２の改善された製本方法を使用して中本に綴じ付けた、図１０〜図２０に示した改善されたブックカバーの斜視図であり、見返しの取り付けを示している。
【図２４】第２の改善された製本方法を使用して中本に綴じ付けた、本発明に従って構成したブックカバーの底端面図である。
【符号の説明】
【０１０３】
３０，１３０，１６６  カバーシート
３２，１３２  第１面
３４，１３４  第２面
３６，１３６  右端
３８，１３８  左端
４０，１４０  頂部端
４２，１４２  底部縁
４４，１４４  総表面領域
４６  全体外郭
４８，１５２，１５４，１５６，１５８  標示部
５０  画像領域
５２  表表紙
５４  背表紙
５６  裏表紙
６０，６２，６４  第１外面
６６，６８，７０  第２外面
７２  接着剤
７４，１４６  表カバー
７６，１５０  背部分
７８，１４８  裏カバー
８８，１６４  中本
９０，９２，１７８，１８０  見返し
【図１】
2004188979.tif 000003
【図２】
2004188979.tif 000004
【図３】
2004188979.tif 000005
【図４】
2004188979.tif 000006
【図５】
2004188979.tif 000007
【図６】
2004188979.tif 000008
【図７】
2004188979.tif 000009
【図８】
2004188979.tif 000010
【図９】
2004188979.tif 000011
【図１０】
2004188979.tif 000012
【図１１】
2004188979.tif 000013
【図１２】
2004188979.tif 000014
【図１３】
2004188979.tif 000015
【図１４】
2004188979.tif 000016
【図１５】
2004188979.tif 000017
【図１６】
2004188979.tif 000018
【図１７】
2004188979.tif 000019
【図１８】
2004188979.tif 000020
【図１９】
2004188979.tif 000021
【図２０】
2004188979.tif 000022
【図２１】
2004188979.tif 000023
【図２２】
2004188979.tif 000024
【図２３】
2004188979.tif 000025
【図２４】
2004188979.tif 000026